(57)【要約】【課題】入力装置において他の鍵付装置に関係する操作を受け付けた場合に、鍵管理装置１０から鍵付装置の鍵を正確に取得することができることを課題とする。【解決手段】出納機２０などの入力装置で別の鍵付装置に関連する処理に係る操作を受け付けたならば、受け付けた操作に応じて必要な鍵を特定し、特定された鍵に係る情報を鍵管理装置１０に送信するようにした。また、鍵管理装置１０は、受け付けた鍵に係る情報に基づいて必要な鍵を取り出し可能となるよう制御するようにした。【選択図】図１
2017057661.tif 000002
【特許請求の範囲】
【請求項１】
鍵付装置と、
前記鍵付装置の操作を伴う操作情報を入力する入力装置と、
前記入力装置と通信可能に接続され、前記鍵付装置に用いられる鍵を保管する鍵管理装置とを備えた鍵管理システムであって、
前記操作情報に基づき前記鍵付装置に必要な鍵を特定する鍵特定手段を備え、
前記鍵管理装置は、前記鍵特定手段により特定された鍵を取り出し可能とする
ことを特徴とする鍵管理システム。
【請求項２】
前記入力装置は、貨幣を出金または入金する貨幣処理装置であることを特徴とする請求項１記載の鍵管理システム。
【請求項３】
前記入力装置は、重要物を管理する重要物管理装置であることを特徴とする請求項１記載の鍵管理システム。
【請求項４】
前記入力装置は、使用者情報を取得する第１の使用者情報取得手段を備え、
前記鍵管理装置は、使用者情報を取得する第２の使用者情報取得手段を備え、
前記第１の使用者情報取得手段が取得した使用者情報と、前記第２の使用者情報取得手段が取得した使用者情報との照合結果を得る使用者識別手段を備え、
前記鍵管理装置は、前記使用者識別手段において得られた照合結果に基づいて、前記鍵特定手段で特定された鍵を取出し可能とする
ことを特徴とする請求項１〜３のいずれか一つに記載の鍵管理システム。
【請求項５】
前記入力装置は、前記操作情報に紐付けられた操作識別情報を出力する出力手段を備え、
前記鍵管理装置は、前記操作識別情報を取得する操作識別情報取得手段と、
前記操作識別情報取得手段が取得した操作識別情報に基づいて操作情報を特定する操作情報特定手段を備え、
前記鍵特定手段は、前記操作情報特定手段が特定した操作情報に基づき前記鍵付装置に必要な鍵を特定する
ことを特徴とする請求項１〜４のいずれか一つに記載の鍵管理システム。
【発明の詳細な説明】
【技術分野】
【０００１】
この発明は、複数の鍵を保管し、取出対象とする鍵の指定操作に基づいて、指定の鍵を取出可能とする鍵管理システムに関する。
【背景技術】
【０００２】
従来、銀行等の金融機関の店舗には、出納機、両替機等の貨幣処理装置が配設されている。この貨幣処理装置には複数の錠が設けられることが多く、例えば出納機の扉及び貨幣収納カセットには、それぞれ別個の錠が設けられている。また、これらの錠を施解錠するための鍵は、鍵管理装置において厳重に管理されている。
【０００３】
このため、貨幣処理装置の錠を解錠する場合には、係員者が、鍵管理装置に対して取出対象となる鍵の指定を含む所定の操作を行って、鍵管理装置から所望の鍵を取り出し、取り出した鍵を用いて貨幣処理装置に設けられた錠を解錠することになる。
【０００４】
ここで、鍵管理装置に対する係員による操作を軽減する従来技術が知られており、例えば特許文献１には、貨幣処理装置に設けられた錠を解錠するイベント（貨幣の回収、貨幣の装填、エラー解除等）が発生した場合に、この貨幣処理装置から鍵管理装置に対して鍵の取り出しに関する鍵情報を送信し、鍵管理装置がこの鍵情報を受信したならば、該当する鍵の取り出しを可能にする技術が開示されている。
【先行技術文献】
【特許文献】
【０００５】
【特許文献１】特開２０１３−６７９７５号公報
【発明の概要】
【発明が解決しようとする課題】
【０００６】
この特許文献１によれば、ある貨幣処理装置（例えば、出納機）から貨幣を回収する場合には、出納機の操作に必要な鍵を間違えることなく鍵管理装置から取得することができる。
【０００７】
しかしながら、例えば出納機から回収した貨幣を他の貨幣処理装置（例えば、両替機）に補充する場合に、上記の特許文献１によれば出納機の操作に必要な鍵の取得間違いを防ぐことはできるが、両替機の補充操作にあたっては、鍵管理装置において直接両替機の鍵の取得操作を行わせることとなる。このため、両替機の操作に必要な鍵については、係員が誤って他の貨幣処理装置の鍵を取り出してしまう可能性がある。
【０００８】
これらのことから、複数の貨幣処理装置間で貨幣の移動を行う場合に、いかに鍵の取得間違いを減らすことができるかが重要な課題となっている。かかる課題は、鍵管理装置と通信可能に接続された入力装置において、他の鍵付装置に関連する操作を受け付けた場合にも同様の課題がある。
【０００９】
本発明は、上述した従来技術の課題を解決するためになされたものであって、入力装置において他の鍵付装置に関係する操作を受け付けた場合に、鍵管理装置から鍵付装置の鍵を正確に取得することができる鍵管理システムを提供することを目的とする。
【課題を解決するための手段】
【００１０】
上述した課題を解決し、目的を達成するため、本発明は、鍵付装置と、前記鍵付装置の操作を伴う操作情報を入力する入力装置と、前記入力装置と通信可能に接続され、前記鍵付装置に用いられる鍵を保管する鍵管理装置とを備えた鍵管理システムであって、前記操作情報に基づき前記鍵付装置に必要な鍵を特定する鍵特定手段を備え、前記鍵管理装置は、前記鍵特定手段により特定された鍵を取り出し可能とすることを特徴とする。
【００１１】
また、本発明は、上記発明において、前記入力装置は、貨幣を出金または入金する貨幣処理装置であることを特徴とする。
【００１２】
また、本発明は、上記発明において、前記入力装置は、重要物を管理する重要物管理装置であることを特徴とする。
【００１３】
また、本発明は、上記発明において、前記入力装置は、使用者情報を取得する第１の使用者情報取得手段を備え、前記鍵管理装置は、使用者情報を取得する第２の使用者情報取得手段を備え、前記第１の使用者情報取得手段が取得した使用者情報と、前記第２の使用者情報取得手段が取得した使用者情報との照合結果を得る使用者識別手段を備え、前記鍵管理装置は、前記使用者識別手段において得られた照合結果に基づいて、前記鍵特定手段で特定された鍵を取出し可能とすることを特徴とする。
【００１４】
また、本発明は、上記発明において、前記入力装置は、前記操作情報に紐付けられた操作識別情報を出力する出力手段を備え、前記鍵管理装置は、前記操作識別情報を取得する操作識別情報取得手段と、前記操作識別情報取得手段が取得した操作識別情報に基づいて操作情報を特定する操作情報特定手段を備え、前記鍵特定手段は、前記操作情報特定手段が特定した操作情報に基づき前記鍵付装置に必要な鍵を特定することを特徴とする。
【発明の効果】
【００１５】
本発明によれば、入力装置において他の鍵付装置に関係する操作を受け付けた場合に、鍵管理装置から鍵付装置の鍵を正確に取得することができる。
【図面の簡単な説明】
【００１６】
【図１】図１は、実施例１に係る鍵管理システムの処理の概要を説明するための図である。
【図２】図２は、実施例１に係る鍵管理システムのシステム構成を示す図である。
【図３】図３は、図２に示した鍵管理装置の外観を示す斜視図である。
【図４】図４は、図２に示した鍵管理装置の構成を示す機能ブロック図である。
【図５】図５は、図２に示した鍵管理装置の記憶部に記憶されるデータの具体例を示す図である。
【図６】図６は、図２に示した出納機の外観を示す斜視図である。
【図７】図７は、図２に示した出納機の構成を示す機能ブロック図である。
【図８】図８は、図２に示した出納機の記憶部に記憶されるデータの具体例を示す図である。
【図９】図９は、図２に示した重要物管理装置の外観を示す斜視図である。
【図１０】図１０は、図２に示した重要物管理装置の構成を示す機能ブロック図である。
【図１１】図１１は、図２に示した重要物管理装置の記憶部に記憶されるデータの具体例を示す図である。
【図１２】図１２は、図２に示した出納機における鍵貸出処理に連動する処理の処理手順を示すフローチャートである。
【図１３】図１３は、図２に示した重要物管理装置における鍵貸出処理に連動する処理の処理手順を示すフローチャートである。
【図１４】図１４は、図２に示した鍵管理装置における連携鍵データを受信した後に行われる処理の処理手順を示すフローチャートである。
【図１５】図１５は、実施例２に係る鍵管理装置の構成を示す機能ブロック図である。
【図１６】図１６は、実施例２に係る出納機の構成を示す機能ブロック図である。
【図１７】図１７は、実施例２に係る鍵管理装置で連携処理データを受信したときに行われる処理の処理手順を示すフローチャートである。
【発明を実施するための形態】
【００１７】
以下に、添付図面を参照して、本発明に係る鍵管理システムの好適な実施例を詳細に説明する。
【実施例１】
【００１８】
まず、本実施例１に係る鍵管理システムの処理の概要について説明する。図１は、本実施例１に係る鍵管理システムの処理の概要を説明するための説明図である。ここでは、出納機２０を用いて両替機６０の紙幣補充に必要となる鍵を鍵管理装置１０から取り出す場合を示している。
【００１９】
出納機２０は、該出納機２０から出金した紙幣を両替機６０に補充処理する旨の操作を受け付けると（Ｓ１）、両替機６０への補充対象となる紙幣の払出処理を行う（Ｓ２）。また、出納機２０は、図中に示した対応テーブル２６ａを参照して、操作内容に対応する鍵を特定する。
【００２０】
対応テーブル２６ａは、操作内容と、該操作内容に対応する対象装置の種類及び鍵の種類とが対応付けられたテーブルである。具体的には、図示したように、操作内容「両替機に紙幣補充」には、対象装置として「両替機」が対応付けられ、鍵として「扉鍵」及び「紙幣カセット鍵」が対応付けられている。なお、この「両替機に紙幣補充」とは、自装置である出納機２０から紙幣を出金し、出金した紙幣を両替機６０に補充することを意味する。
【００２１】
同様に、操作内容「両替機に硬貨補充」には、対象装置「両替機」、鍵「扉鍵」及び「硬貨カセット鍵」が対応付けられ、操作内容「貨幣を回収して、金庫に収納」には、対象装置「金庫」、鍵「金庫鍵」が対応付けられ、操作内容「両替機の貨幣を回収して、金庫に収納」には、対象装置「両替機」及び「金庫」、鍵「扉鍵」、「紙幣カセット鍵」、「硬貨カセット鍵」、「金庫鍵」が対応付けられている。
【００２２】
出納機２０は、かかる対応テーブル２６ａに基づいて連携鍵データ２６ｃを生成し、生成された連携鍵データ２６ｃを鍵管理装置１０に対して送信する（Ｓ３）。鍵管理装置１０は、この連携鍵データ２６ｃに基づいて、両替機６０の扉鍵及び紙幣カセット鍵を取り出し可能となるよう制御する（Ｓ４）。
【００２３】
ここで、この連携鍵データ２６ｃは、自装置である出納機２０の連携先となる装置と該装置の錠を施解錠するための鍵を特定するためのデータであり、対応テーブル２６ａを用いて生成される。なお、実際には、操作内容に対応付けて連携鍵データ２６ｃが対応テーブル２６ａに記憶されることになる。
【００２４】
このように、出納機２０において両替機６０等を施解錠する必要のある操作内容を受け付けた場合に、対応テーブル２６ａに基づいて連携鍵データ２６ｃを生成し、鍵管理装置１０から両替機６０等の錠を施解錠する鍵を取出可能とするよう構成することで、連携先の両替機６０等で必要となる鍵を迅速かつ効率的に取出可能とすることができる。
【００２５】
なお、ここでは、出納機２０から出金した紙幣を両替機６０に補充する場合を中心に説明したが、例えば、未使用の通帳などを管理する重要物管理装置４０において、自動機７０に通帳を補充する旨の操作内容を受け付けた場合に、重要物管理装置４０から鍵管理装置１０に対して取り出し可能にする鍵に係る情報を送信し、鍵管理装置１０から自動機７０の鍵を取り出し可能とすることもできる。
【００２６】
次に、実施例１に係る鍵管理システムのシステム構成について説明する。図２は、鍵管理システムのシステム構成を示す図である。図２に示すように、鍵管理システムは、鍵管理装置１０、出納機２０、重要物管理装置４０、金庫５０、両替機６０及び自動機７０を有する。また、自動機７０以外の装置は、通信線９０を介して相互に通信可能に接続される。図２では、金庫５０及び両替機６０が通信線９０に接続されていて、自動機７０が通信線９０と接続されていない構成としているが、本発明はこれに限定されない。自動機７０についても通信線９０と接続されていてもよいし、金庫５０及び両替機６０が通信線９０と接続されていなくてもよい。
【００２７】
鍵管理装置１０は、鍵管理システムに含まれる各種装置の操作に必要な鍵を保管するための装置である。鍵管理装置１０は、取り出したい鍵の指定操作を受け付けて、指定された鍵を取り出し可能とする。また、鍵管理装置１０は、通信線９０を介して取り出す鍵を特定可能な情報を受け付けて、受け付けた情報により特定される鍵を取り出し可能となるよう制御する。
【００２８】
出納機２０は、バラ紙幣、所定枚数単位で結束された束紙幣、バラ硬貨及び所定枚数単位で包装された包装硬貨を取り扱う貨幣処理装置である。出納機２０は、かかる貨幣の払出指示操作を受け付けて、受け付けた指示操作に応じた貨幣の払出処理を行う。また、出納機２０は、貨幣の収納指示操作を受け付けて、受け付けた指示操作に応じて貨幣の収納処理を行う。また、出納機２０は、他の貨幣処理装置に対する貨幣の補充や、他の貨幣処理装置からの貨幣の回収などの、他の貨幣処理装置に関連する処理の指示を受け付けることもできる。このような指示を受け付けると、出納機２０は、受け付けた内容に応じた自装置での処理を行うとともに、かかる指示に応じて必要な他の貨幣処理装置の鍵を特定し、特定した鍵に係る情報を鍵管理装置１０に送信する。
【００２９】
重要物管理装置４０は、通帳、証書及び有価証券等の重要物を保管するための装置である。重要物管理装置４０は、かかる重要物を保管するための複数の収納部を有し、各収納部は、外部からのアクセスを制限するロック機構を有している。重要物管理装置４０は、重要物を取り出す旨の操作を受け付けて、指定された重要物の種類に応じて対応する収納部のロックを解除することにより、指定された重要物の取り出しを可能とする。また、重要物管理装置４０は、自動機７０への通帳の補充などの、他の装置に関連する処理の指示を受け付けることもできる。このような指示を受け付けると、重要物管理装置４０は、受け付けた内容に応じて通帳を取り出し可能となるよう制御するとともに、かかる指示に応じて必要な自動機７０の鍵を特定し、特定した鍵に係る情報を鍵管理装置１０に送信する。
【００３０】
金庫５０は、貨幣を収納するための装置である。金庫５０に貨幣を収納する場合や、収納された貨幣を取り出すためには金庫５０を解錠するための鍵が必要である。
【００３１】
両替機６０は、店舗のロビー等に配設される、両替業務に特化した装置である。両替機６０は、顧客から、両替する貨幣と、両替する金種別の数量の指定操作を受けつけて、受け付けた貨幣を装置内部に収納するとともに、指定された金種別の数量の貨幣を払い出す。また、両替機６０に対する貨幣の補充又は回収を行う場合には、両替機６０の扉を開けるための鍵と、紙幣カセットを開けるための鍵と、硬貨カセットを開けるための鍵が必要となる。
【００３２】
自動機７０は、店舗の自動機コーナーに配設される装置である。自動機７０は、顧客の操作を受け付けて、入金、出金及び振込などの取引処理を行うための装置である。自動機７０は、かかる取引処理に応じて、顧客から受け付けた貨幣を装置内部への収納処理、貨幣の払出処理、通帳への取引履歴の印字処理及び取引明細書の発行処理を行う。自動機７０に対する貨幣の補充又は回収を行う場合には、自動機７０の扉を開けるための鍵と、紙幣カセットを開けるための鍵と、硬貨カセットを開けるための鍵とが必要となる。また、自動機７０は、装置内部に未使用の新しい通帳が装填される通帳収納部を備えており、取引処理において通帳繰り越しが発生した場合には、通帳収納部に装填された通帳を使用して新たな通帳が発行されることになる。自動機７０に対する通帳の補充を行う場合には、自動機７０の扉を開けるための鍵と、通帳収納部を開けるための鍵とが必要となる。
【００３３】
次に、図２に示した鍵管理装置１０の外観について説明する。図３は、鍵管理装置１０の外観を示す斜視図である。図３に示すように、鍵管理装置１０は、扉１０ａにて開閉される鍵収納部１０ｂ、表示操作部１１、カードリーダ１２及びレシート取出口１５ａを有する。
【００３４】
鍵収納部１０ｂには、複数の鍵保持部１３が設けられている。鍵保持部１３は、保管対象の鍵がリングにより繋がれたホルダー１４を着脱可能に保持する。各鍵保持部１３は、ホルダー１４の取り出しを許可又は禁止することができるように図示しないロック機構を有する。鍵管理装置１０は、各鍵保持部１３に対するロック機構を制御することによって、各ホルダー１４の取り出しの許可又は禁止を制御する。
【００３５】
また、鍵管理装置１０は、表示操作部１１を有する。表示操作部１１は、タッチ式のディスプレイ装置であり、操作者の入力操作を受け付ける。カードリーダ１２は、担当者カードの情報を読み取るための入力部である。レシート取出口１５ａは、図示しないプリンタ１５で印刷した紙が取り出し可能に排出される口である。
【００３６】
次に、図２に示した鍵管理装置１０の構成について説明する。図４は、鍵管理装置１０の構成を示す機能ブロック図である。図４に示すように、鍵管理装置１０は、表示操作部１１、カードリーダ１２、鍵保持部１３、プリンタ１５、通信部１６、記憶部１７及び制御部１８を有する。表示操作部１１、カードリーダ１２及び鍵保持部１３については、図３の外観の説明において説明したので、図４での説明は省略する。
【００３７】
プリンタ１５は、ロール紙に対して印刷する感熱式又はインクジェット式等の印刷部であり、鍵管理装置１０で管理される鍵ごとの使用状況等を印刷する。通信部１６、通信線９０を介して出納機２０及び重要物管理装置４０とデータ通信するためのインタフェース部である。
【００３８】
記憶部１７は、ハードディスク装置や不揮発性メモリ等からなる記憶デバイスである。記憶部１７は、鍵管理テーブル１７ａ及び連携鍵データ１７ｂを記憶する。鍵管理テーブル１７ａは、鍵管理装置１０で保管する鍵の状態が管理されたデータである。連携鍵データ１７ｂは、出納機２０又は重要物管理装置４０から受信したデータを蓄積したデータである。連携鍵データ１７ｂは、取り出し可能に制御する鍵を特定する情報を含む。
【００３９】
制御部１８は、鍵管理装置１０の全体を制御する制御部であり、鍵貸出処理部１８ａ、鍵返却処理部１８ｂ、連携データ取得部１８ｃ、認証処理部１８ｄ、連携データ特定部１８ｅ及び連携鍵貸出処理部１８ｆを有する。実際には、鍵貸出処理部１８ａ、鍵返却処理部１８ｂ、連携データ取得部１８ｃ、認証処理部１８ｄ、連携データ特定部１８ｅ及び連携鍵貸出処理部１８ｆに対応するプログラムを不揮発性メモリは磁気ディスク装置などの記憶装置に記憶しておき、これらのプログラムをメモリにロードして、ＣＰＵ（Central Processing Unit）で実行することで、対応するプロセスを実行させることになる。
【００４０】
鍵貸出処理部１８ａは、表示操作部１１による鍵貸出操作を受け付けて、受け付けた操作に基づいて貸し出す鍵を特定し、特定した鍵に応じた鍵保持部１３のロックを解除して、対応するホルダー１４を取り出し可能にする。また、鍵貸出処理部１８ａは、ホルダー１４が鍵保持部１３から取り出されたならば、取り出された鍵の状態を貸出中に変更する。
【００４１】
鍵返却処理部１８ｂは、貸し出した鍵の返却を受け付けて、返却された鍵の状態を返却済みに変更する。
【００４２】
連携データ取得部１８ｃは、出納機２０及び重要物管理装置４０から、取り出し可能にする鍵の指定を含む連携鍵データ２６ｃ、４７ｃを受信して、連携鍵データ１７ｂに登録する。また、連携データ取得部１８ｃは、受信した連携鍵データ２６ｃ、４７ｃを連携鍵データ１７ｂに登録する際には、対応する鍵の取り出しに係る処理を行ったか否かを示す処理状態の情報に、対応する鍵を取り出し可能にする処理をまだ行っていないことを示す「未処理」を設定する。
【００４３】
鍵管理装置１０は、連携鍵データ２６ｃ、４７ｃを受信しただけで、鍵を取り出し可能となるよう制御するものではない。連携鍵データ２６ｃ、４７ｃには、操作者の識別情報や、操作者が行った操作を識別する操作識別情報が含まれており、カードリーダ１２で操作者の識別情報が読み取られ、表示操作部１１で操作識別情報の入力が行われると、対応する連携鍵データ２６ｃ、４７ｃに応じた鍵の取り出しが可能となるよう制御される。
【００４４】
認証処理部１８ｄは、カードリーダ１２で読み取られた操作者の識別情報に基づいて操作者の認証処理を行う。
【００４５】
連携データ特定部１８ｅは、カードリーダ１２で読み取られた操作者の識別情報と、表示操作部１１で入力される操作識別情報に基づいて、連携鍵データ１７ｂから処理対象のレコードを特定する。
【００４６】
連携鍵貸出処理部１８ｆは、連携データ特定部１８ｅで特定された連携鍵データ１７ｂの処理対象のレコードの内容に応じて、かかる連携鍵データ１７ｂのレコードに指定された鍵を取り出し可能となるよう制御する。
【００４７】
次に、図２に示した鍵管理装置１０の記憶部１７に記憶されるデータについて具体的に説明する。図５は、鍵管理装置１０の記憶部１７に記憶されるデータの具体例を説明するための図である。
【００４８】
図５（ａ）に示すように、鍵管理テーブル１７ａは、鍵保持部識別情報に、鍵識別情報、装置種類、装置号機、鍵種類、貸出状態及び最終貸出情報を関連付けたデータである。鍵保持部識別情報は、鍵保持部１３を識別する情報である。鍵識別情報は、鍵を一意に特定可能な識別情報である。装置種類は、コード化されたデータであって、「１」が出納機２０、「２」が重要物管理装置４０、「３」が両替機６０、「４」が金庫５０、「５」が自動機７０であることを示す。また、最終貸出情報には、貸出日時及び操作者識別情報を含む。
【００４９】
図５（ａ）に示す鍵管理テーブル１７ａの１レコード目は、鍵保持部識別情報が「０１」で、鍵識別情報が「３０１０１」で、装置種類が「３」であり両替機６０で、装置号機が「０１」号機で、鍵種類が「扉鍵」で、貸出状態が「貸出中」で、最終貸出日時が「２０１５／６／１  １０：１０」で、貸し出した操作者の識別情報が「１２３４５」であることを示している。また、図５に示す鍵管理テーブル１７ａの２レコード目は、鍵保持部識別情報が「０２」で、鍵識別情報が「３０１０２」で、装置種類が「３」であり両替機６０で、装置号機が「０１」号機で、鍵種類が「紙幣カセット」で、貸出状態が「返却済」で、最終貸出日時が「２０１５／６／１  ８：３０」で、貸し出した操作者の識別情報が「１２３４５」であることを示している。
【００５０】
図５（ｂ）に示すように、連携鍵データ１７ｂは、受付日時、操作者識別情報、操作識別情報、鍵識別情報及び処理状態を項目とするデータである。受付日時は、出納機２０又は重要物管理装置４０で当該レコードに関連する入力操作を受け付けた日時である。操作者識別情報は出納機２０又は重要物管理装置４０で当該レコードに関連する入力操作を行った操作者の識別情報である。操作識別情報は、操作を識別する情報であって、要求元装置識別情報と操作通番とを含む。要求元装置識別情報は操作が行われた装置の種類と装置の号機を含む情報であり、店舗内の装置を一意に特定可能な情報である。また、操作通番は、要求元装置で採番される通番である。
【００５１】
図５（ｂ）に示す連携鍵データ１７ｂは、受付日時が「２０１５／６／１  １０：００」に行われた操作が、操作者識別情報が「１２３４５」である操作者によって行われたことを示している。また、図５（ｂ）に示す連携鍵データ１７ｂは、その操作が、装置種類が「１」の出納機２０の、装置号機が「０１」の装置で行われた、操作通番が「３０」で識別される操作であって、かかる操作に対応して必要な鍵は、識別情報が「３０１０１」と「３０１０３」の鍵であることを示している。また、図５（ｂ）に示す連携鍵データ１７ｂは、いずれの鍵についても取り出し可能とする鍵の貸出処理が「処理済」であることを示している。
【００５２】
次に、図２に示した出納機２０の外観について説明する。図６は、出納機２０の外観を示す斜視図である。図６に示すように、出納機２０は、束紙幣処理部３２、バラ紙幣処理部３１、包装硬貨処理部３４及びバラ硬貨処理部３３を有する。また、かかるバラ硬貨処理部３３及び包装硬貨処理部３４の上には表示部２１、操作部２２、カードリーダ２３及びプリンタ２４を有する。
【００５３】
束紙幣処理部３２は、所定枚数単位で結束された束紙幣の入金及び出金を行う処理部である。図６に示すように、束紙幣処理部３２は、入金する束紙幣の受け付けと出金する束紙幣の払い出しを行う束紙幣入出金口３２ａと、束紙幣を払い出す束紙幣放出口３２ｂとを備える。
【００５４】
バラ紙幣処理部３１は、バラ紙幣の入金及び出金を行う処理部である。図６に示すように、バラ紙幣処理部３１は、入金するバラ紙幣を受け付けるバラ紙幣入金口３１ａと、出金するバラ紙幣を払い出すバラ紙幣出金口３１ｂとを備える。
【００５５】
包装硬貨処理部３４は、所定枚数単位で包装された包装硬貨の出金を行う処理部である。図６に示すように、包装硬貨処理部３４は、出金する包装硬貨を払い出す包装硬貨出金口３４ａを備える。
【００５６】
バラ硬貨処理部３３は、バラ硬貨の入金及び出金を行う処理部である。図６に示すように、バラ硬貨処理部３３は、出金するバラ硬貨を払い出すバラ硬貨出金口３３ｃと、上方に向けて開口する入金するバラ硬貨を受け付けるバラ硬貨入金口３３ａと、バラ硬貨入金口３３ａに投入したバラ硬貨のうち識別できなかった硬貨を排出するリジェクト部３３ｂとを備える。
【００５７】
表示部２１は、ディプレイ装置であり、操作部２２は、キーボード及びマウスなどの入力装置である。出納機２０を操作する場合には、操作者は、操作部２２を用いて出納機２０に対する指示操作を行い、表示部２１に処理結果等の表示が行われる。カードリーダ２３は、担当者カードの情報を読み取るための入力部である。プリンタ２４は、出納機２０における処理内容等を紙媒体に出力するための出力部である。
【００５８】
次に、図２に示した出納機２０の構成について説明する。図７は、出納機２０の構成を示す機能ブロック図である。図７に示すように、出納機２０は、表示部２１、操作部２２、カードリーダ２３、プリンタ２４、通信部２５、バラ紙幣処理部３１、束紙幣処理部３２、バラ硬貨処理部３３、包装硬貨処理部３４、記憶部２６及び制御部２７を有する。図７の構成の説明においては、図６で既に説明した表示部２１、操作部２２、カードリーダ２３、プリンタ２４、バラ紙幣処理部３１、束紙幣処理部３２、バラ硬貨処理部３３及び包装硬貨処理部３４についての説明は省略する。通信部２５は、鍵管理装置１０と通信線９０を介してデータ通信するインタフェース部である。
【００５９】
記憶部２６は、ハードディスク装置や不揮発性メモリ等からなる記憶デバイスである。記憶部２６は、対応テーブル２６ａ、連携処理データ２６ｂ及び連携鍵データ２６ｃを記憶する。これらのデータは、出納機２０で行った操作により、鍵管理装置１０に保管される他装置の鍵を取り出し可能にするという処理を実現するためのデータである。
【００６０】
対応テーブル２６ａは、出納機２０で行われる操作に対する処理（以下、「鍵連携処理」と言う）と、他装置の鍵とを関係付けたデータである。つまり、出納機２０で行った操作に対する処理が特定できれば、かかる対応テーブル２６ａにより、鍵管理装置１０から取り出し可能にすべき鍵を特定することができる。
【００６１】
連携処理データ２６ｂは、出納機２０で行われた操作に対する鍵連携処理と、かかる操作を行った操作者の識別情報と、かかる操作を識別する操作識別情報とを関係づけたデータである。
【００６２】
連携鍵データ２６ｃは、出納機２０で行われた操作に対する鍵連携処理が行われた場合に生成されるデータであって、生成された連携鍵データ２６ｃは、鍵管理装置１０に送信される。かかる連携鍵データ２６ｃは、出納機２０で行われた操作に対する鍵連携処理に対応する操作者識別情報、操作識別情報及び鍵管理装置１０から取り出し可能にする鍵の鍵識別情報などを含むデータである。
【００６３】
制御部２７は、出納機２０の全体を制御する制御部であり、貨幣処理部２７ａ、装置連携貨幣処理部２７ｂ及び連携鍵データ生成部２７ｃを有する。実際には、貨幣処理部２７ａ、装置連携貨幣処理部２７ｂ及び連携鍵データ生成部２７ｃに対応するプログラムを不揮発性メモリは磁気ディスク装置などの記憶装置に記憶しておき、これらのプログラムをメモリにロードして、ＣＰＵで実行することで、対応するプロセスを実行させることになる。
【００６４】
貨幣処理部２７ａは、操作部２２からの指示操作を受け付けて、貨幣の入金又は出金処理を制御する処理部である。かかる貨幣処理部２７ａは、出納機２０単独で行われる貨幣の入金又は出金処理を制御する処理部である。
【００６５】
装置連携貨幣処理部２７ｂは、鍵連携処理を実施する処理部である。例えば、装置連携貨幣処理部２７ｂは、「両替機への紙幣の補充処理」などの指示を受け付けて、両替機６０に補充する貨幣の払出処理を行うとともに、両替機６０に貨幣を補充する際に必要な鍵に関する情報を鍵管理装置１０に送信する。また、装置連携貨幣処理部２７ｂは、鍵管理装置１０に送信した情報に基づいて鍵を取り出すときに必要な操作識別情報をプリンタ２４で印字する。
【００６６】
連携鍵データ生成部２７ｃは、鍵連携処理に係る操作を受け付けたときに、連携処理データ２６ｂを生成するとともに、生成された連携処理データ２６ｂと、対応テーブル２６ａに基づいて、かかる鍵連携処理に対応する鍵を特定し、連携鍵データ２６ｃを生成する。装置連携貨幣処理部２７ｂは、このようにして連携鍵データ生成部２７ｃにより生成された連携鍵データ２６ｃを鍵管理装置１０に送信することになる。
【００６７】
次に、図２に示した出納機２０の記憶部２６に記憶されるデータについて具体的に説明する。図８は、出納機２０の記憶部２６に記憶されるデータの具体例を示す図である。
【００６８】
図８（ａ）に示すように、対応テーブル２６ａは、処理識別情報に鍵識別情報が関連付けられたデータである。処理識別情報は、処理対象装置の識別情報及び処理識別名称を含む。また、処理対象装置の識別情報は、装置の種類及び装置号機の情報を含む。
【００６９】
図８（ａ）に示す対応テーブル２６ａは、装置種類が「３」の両替機６０の、装置号機が「０１」である装置に対する、処理識別名称が「硬貨補充」の処理に、鍵識別情報が「３０１０１」及び「３０１０３」の鍵が関連付けられていることを示している。鍵識別情報が「３０１０１」は両替機６０の０１号機の扉鍵を示し、鍵識別情報が「３０１０３」は両替機６０の０１号機の硬貨カセット鍵を示している。
【００７０】
図８（ｂ）に示すように、連携処理データ２６ｂは、鍵連携処理に係る操作が行われた時刻、操作者識別情報及び操作識別情報と、処理識別情報とを関連付けたデータである。操作識別情報は、図５（ｂ）に示した連携鍵データ１７ｂの装置識別情報と同じ構造の情報であり、店舗内の各種装置で行われる操作を一意に識別する情報である。また、処理識別情報は、図８（ａ）に示した対応テーブル２６ａの処理識別情報と同じ構造の情報であり、処理内容を一意に特定する情報である。
【００７１】
図８（ｂ）に示す連携処理データ２６ｂは、操作日時が「２０１５／６／１  １０：００」に、操作者識別情報が「１２３４５」の操作者によって行われた操作が、装置種類が「１」の出納機２０の、装置号機が「０１」の装置で行われた、操作通番が「３０」で識別される操作であることを示している。また、図８（ｂ）に示す連携処理データ２６ｂは、かかる操作者識別情報及び操作識別情報に関連付けられた処理が、装置種類が「３」の両替機６０で、装置号機「０１」の装置に対する、処理識別名称が「硬貨補充」の処理であることを示している。
【００７２】
図８（ｃ）に示す連携鍵データ２６ｃは、図８（ａ）に示す対応テーブル２６ａと、図８（ｂ）に示す連携処理データ２６ｂとに基づいて生成されるデータである。具体的には、連携処理データ２６ｂの処理識別情報に対応する処理に必要な鍵を、対応テーブル２６ａに基づいて特定することによって、行われた操作の操作者識別情報及び操作識別情報と、必要な鍵とを関係づけた連携鍵データ２６ｃを生成する。
【００７３】
図８（ｃ）に示すように、連携鍵データ２６ｃは、図５（ｂ）に示した連携鍵データ１７ｂとほぼ同じ形式のデータである。図５（ｂ）に示した連携鍵データ１７ｂは、かかる連携鍵データ２６ｃを受信して、処理状態の項目を付加したデータである。つまり、連携鍵データ２６ｃは、連携鍵データ１７ｂから処理状態の項目を削除した構造であり、処理状態の項目以外の情報は連携鍵データ１７ｂと全く同じである。よって、連携鍵データ２６ｃのデータ構造の説明は省略する。
【００７４】
図８（ｃ）に示す連携鍵データ２６ｃは、受付日時が「２０１５／６／１  １０：００」に行われた操作が、操作者識別情報が「１２３４５」である操作者によって行われたことを示している。また、図８（ｃ）に示す連携鍵データ２６ｃは、かかる操作が、装置種類が「１」の出納機２０の、装置号機が「０１」の装置で行われた、操作通番が「３０」で識別される操作であって、かかる操作に対応して必要な鍵は、識別情報が「３０１０１」と「３０１０３」の鍵であることを示している。
【００７５】
次に、図２に示した重要物管理装置４０の外観について説明する。図９は、重要物管理装置４０の外観を示す斜視図である。図９に示すように、重要物管理装置４０は、表示操作部４１、カード挿入口４２ａ、第１収納ユニット４３、第２収納ユニット４４及び第３収納ユニット４５を有する。
【００７６】
表示操作部４１は、タッチ式のディスプレイ装置であり、操作者の入力操作を受け付ける。カード挿入口４２ａは、担当者カードを挿入するための挿入口であり、かかるカード挿入口４２ａに担当者カードが挿入されると、挿入された担当者カードから担当者コードなどの情報が読み取られる。
【００７７】
図９に示すように、第１収納ユニット４３は３つの収納部４３ａ、４３ｂ、４３ｃを有し、第２収納ユニット４４は４つの収納部４４ａ、４４ｂ、４４ｃ、４４ｄを有し、第３収納ユニット４５は収納部４５ａを有している。各収納部４３ａ〜４５ａは、それぞれに保管される重要物が決められている。また、各収納部４３ａ〜４５ａは、開閉を制限するロック機構を有している。重要物管理装置４０は、操作権限を有する操作者による重要物の取り出しの操作を受け付けると、指定された重要物が保管される収納部４３ａ〜４５ａのロックを解除して、指定の重要物を取り出し可能とする。
【００７８】
次に、図２に示した重要物管理装置４０の構成について説明する。図１０は、重要物管理装置４０の構成を示す機能ブロック図である。図１０に示すように、重要物管理装置４０は、表示操作部４１、カードリーダ４２、第１収納ユニット４３、第２収納ユニット４４、第３収納ユニット４５、通信部４６、記憶部４７及び制御部４８を有する。図９で既に説明した表示操作部４１、第１収納ユニット４３、第２収納ユニット４４及び第３収納ユニット４５についての説明は省略する。カードリーダ４２は、カード挿入口４２ａに挿入された担当者カードから、担当者コードなどの情報を読み取るための装置である。通信部４６は、鍵管理装置１０と通信線９０を介してデータ通信するインタフェース部である。
【００７９】
記憶部４７は、ハードディスク装置や不揮発性メモリ等からなる記憶デバイスである。記憶部４７は、対応テーブル４７ａ、連携処理データ４７ｂ及び連携鍵データ４７ｃを記憶する。これらのデータは、重要物管理装置４０で行った操作により、鍵管理装置１０に保管される他装置の鍵を取り出し可能にするという処理を実現するためのデータである。また、これらのデータ構造は、出納機２０の対応テーブル２６ａ、連携処理データ２６ｂ及び連携鍵データ２６ｃと同様であることから説明は省略する。
【００８０】
制御部４８は、重要物管理装置４０の全体を制御する制御部であり、重要物管理部４８ａ、装置連携重要物管理部４８ｂ及び連携鍵データ生成部４８ｃを有する。実際には、重要物管理部４８ａ、装置連携重要物管理部４８ｂ及び連携鍵データ生成部４８ｃに対応するプログラムを不揮発性メモリは磁気ディスク装置などの記憶装置に記憶しておき、これらのプログラムをメモリにロードして、ＣＰＵで実行することで、対応するプロセスを実行させることになる。
【００８１】
重要物管理部４８ａは、表示操作部４１からの重要物の取り出しに係る指示操作を受け付けて、指示された重要物の保管される４３ａ〜４５ａを特定し、特定された４３ａ〜４５ａのロックを解除する。
【００８２】
装置連携重要物管理部４８ｂは、鍵連携処理を実施する処理部である。例えば、装置連携重要物管理部４８ｂは、「自動機への通帳の補充処理」などの指示を受け付けて、自動機７０に補充する通帳が保管されるいずれかの収納部４３ａ〜４５ａのロックを解除するともに、自動機７０に通帳を補充する際に必要な鍵に関する情報を鍵管理装置１０に送信する。また、装置連携重要物管理部４８ｂは、鍵管理装置１０に送信した情報に基づいて鍵を取り出すときに必要な操作識別情報を表示操作部４１等に出力する。
【００８３】
連携鍵データ生成部４８ｃは、鍵連携処理に係る操作を受け付けたときに、連携処理データ４７ｂを生成するとともに、生成された連携処理データ４７ｂと、対応テーブル４７ａに基づいて、かかる鍵連携処理に対応する鍵を特定し、連携鍵データ４７ｃを生成する。装置連携重要物管理部４８ｂは、このようにして連携鍵データ生成部４８ｃにより生成された連携鍵データ４７ｃを鍵管理装置１０に送信することになる。
【００８４】
次に、図２に示した重要物管理装置４０の記憶部４７に記憶されるデータについて具体的に説明する。図１１は、重要物管理装置４０の記憶部４７に記憶されるデータの具体例を示す図である。図１１に示すように、対応テーブル４７ａ、連携処理データ４７ｂ及び連携鍵データ４７ｃのデータ構造は、図８に示した出納機２０の対応テーブル２６ａ、連携処理データ２６ｂ及び連携鍵データ２６ｃと同様であることから、構造に関する説明は省略する。
【００８５】
図１１（ａ）に示す対応テーブル４７ａは、装置種類が「５」の自動機７０の、装置号機が「０２」である装置に対する、処理識別名称が「通帳補充」の処理に、鍵識別情報が「５０２０１」及び「５０２０５」の鍵が関連付けられていることを示している。鍵識別情報が「５０２０１」は自動機７０の０２号機の扉鍵を示し、鍵識別情報が「５０２０５」は自動機７０の０２号機の通帳収納部鍵を示している。
【００８６】
図１１（ｂ）に示す連携処理データ４７ｂは、操作日時が「２０１５／６／１  １０；１５」に、操作者識別情報が「６７８９０」の操作者によって行われた操作が、装置種類が「２」の重要物管理装置４０の、装置号機が「０１」の装置で行われた、操作通番が「１５」で識別される操作であることを示している。また、図１１（ｂ）に示す連携処理データ４７ｂは、かかる操作者識別情報及び操作識別情報に関連付けられた処理が、装置種類が「５」の自動機７０で、装置号機「０２」の装置に対する、処理識別名称が「通帳補充」の処理であることを示している。
【００８７】
図１１（ｃ）に示す連携鍵データ４７ｃは、受付日時が「２０１５／６／１  １０：１５」に行われた操作が、操作者識別情報が「６７８９０」である操作者によって行われたことを示している。また、図１１（ｃ）に示す連携鍵データ４７ｃは、その操作が、装置種類が「２」の重要物管理装置４０の、装置号機が「０１」の装置で行われた、操作通番が「１５」で識別される操作であって、かかる操作に対応して必要な鍵は、識別情報が「５０２０１」と「５０２０５」の鍵であることを示している。
【００８８】
次に、図２に示した出納機２０における鍵貸出処理に連動する処理の処理手順について説明する。図１２は、出納機２０における鍵貸出処理に連動する処理の処理手順を示すフローチャートである。
【００８９】
装置連携貨幣処理部２７ｂは、操作部２２等により、他の鍵付装置の鍵の貸出処理を鍵管理装置１０と連携して行う鍵連携処理の指示操作を受け付ける（ステップＳ１０１）。受け付けた鍵連携処理の指示に応じた貨幣の収納や払出などの処理が有る場合には（ステップＳ１０２；Ｙｅｓ）、装置連携貨幣処理部２７ｂは、貨幣に関連する収納や払出などの処理を行う（ステップＳ１０３）。受け付けた鍵連携処理の指示に応じた貨幣の収納や払出などの処理が無い場合には（ステップＳ１０２；Ｎｏ）、ステップＳ１０３の処理をスキップしてステップＳ１０４に移行する。
【００９０】
装置連携貨幣処理部２７ｂは、受け付けた鍵連携処理の指示操作に基づいて連携処理データ２６ｂを生成する（ステップＳ１０４）。連携鍵データ生成部２７ｃは、ステップＳ１０４で生成された連携処理データ２６ｂと、対応テーブル２６ａとに基づいて連携鍵データ２６ｃを生成する（ステップＳ１０５）。装置連携貨幣処理部２７ｂは、このようにして生成された連携鍵データ２６ｃを鍵管理装置１０に送信する（ステップＳ１０６）。装置連携貨幣処理部２７ｂは、鍵管理装置１０に送信した連携鍵データ２６ｃに含まれる操作識別情報をプリンタ２４で印字して（ステップＳ１０７）、処理を終了する。かかる操作識別情報は、操作者が鍵管理装置１０において送信した連携鍵データ２６ｃに応じた鍵を取り出すときに必要な情報である。
【００９１】
次に、図２に示した重要物管理装置４０における鍵貸出処理に連動する処理の処理手順について説明する。図１３は、重要物管理装置４０における鍵貸出処理に連動する処理の処理手順を示すフローチャートである。
【００９２】
装置連携重要物管理部４８ｂは、表示操作部４１等により、他の鍵付装置の鍵の貸出処理を鍵管理装置１０と連携して行う鍵連携処理の指示操作を受け付ける（ステップＳ２０１）。受け付けた鍵連携処理の指示に応じた重要物の取り出しに係る処理が有る場合には（ステップＳ２０２；Ｙｅｓ）、装置連携重要物管理部４８ｂは、対応する重要物の取り出しに係る処理を行う（ステップＳ２０３）。受け付けた鍵連携処理の指示に応じた重要物の取り出しに係る処理が無い場合には（ステップＳ２０２；Ｎｏ）、ステップＳ２０３の処理をスキップしてステップＳ２０４に移行する。
【００９３】
装置連携重要物管理部４８ｂは、受け付けた鍵連携処理の指示操作に基づいて連携処理データ４７ｂを生成する（ステップＳ２０４）。連携鍵データ生成部４８ｃは、ステップＳ２０４で生成された連携処理データ４７ｂと、対応テーブル４７ａとに基づいて連携鍵データ４７ｃを生成する（ステップＳ２０５）。装置連携重要物管理部４８ｂは、このようにして生成された連携鍵データ４７ｃを鍵管理装置１０に送信する（ステップＳ２０６）。装置連携重要物管理部４８ｂは、鍵管理装置１０に送信した連携鍵データ４７ｃに含まれる操作識別情報を表示操作部４１等に出力して（ステップＳ２０７）、処理を終了する。かかる操作識別情報は、操作者が鍵管理装置１０において送信した連携鍵データ４７ｃに応じた鍵を取り出すときに必要な情報である。
【００９４】
次に、図２に示した鍵管理装置１０において連携鍵データ２６ｃ、４７ｃを受信した後に行われる処理の処理手順について説明する。図１４は、鍵管理装置１０において連携鍵データ２６ｃ、４７ｃを受信した後に行われる処理の処理手順を示すフローチャートである。
【００９５】
出納機２０から連携鍵データ２６ｃを受信したか、重要物管理装置４０から連携鍵データ４７ｃを受信した場合には（ステップＳ３０１；Ｙｅｓ）、連携データ取得部１８ｃは、受信した連携鍵データ２６ｃ又は連携鍵データ４７ｃを連携鍵データ１７ｂに登録する（ステップＳ３０２）。この処理において、連携データ取得部１８ｃは、追加登録したレコードの処理状態の項目には、かかるレコードに対する鍵の貸し出し処理が行われていない旨を示す「未処理」を初期状態として登録する。出納機２０からの連携鍵データ２６ｃ又は重要物管理装置４０からの連携鍵データ４７ｃのいずれも受信していない場合には（ステップＳ３０１；Ｎｏ）、ステップＳ３０２の処理をスキップしてステップＳ３０３に移行する。
【００９６】
カードリーダ１２で担当者カードからカードに記憶された担当者コードが読み取られ（ステップＳ３０３；Ｙｅｓ）、連携鍵データ１７ｂに読み取られた担当者コードを操作者識別情報とする未処理レコードが有る場合には（ステップＳ３０４；Ｙｅｓ）、連携データ特定部１８ｅは、表示操作部１１における操作識別情報の入力操作を受け付ける（ステップＳ３０５）。操作者は、図１２に示した操作識別情報出力処理（ステップＳ１０７）又は図１３に示した操作識別情報出力処理（ステップＳ２０７）で出力された操作識別情報を入力することになる。カードリーダ１２で担当者カードの担当者コードが読み取られていない場合には（ステップＳ３０３；Ｎｏ）、処理を終了する。
【００９７】
連携データ特定部１８ｅは、担当者カードから読み取られた担当者コードと、入力された操作識別情報とに対応する連携鍵データ１７ｂの未処理レコードを検索する（ステップＳ３０６）。かかる検索処理（ステップＳ３０６）において、対応する未処理レコードが存在しない場合には（ステップＳ３０７；Ｎｏ）、入力された操作識別情報が正しくない旨を示すエラーメッセージを表示して（ステップＳ３０８）、ステップＳ３０５に戻る。
【００９８】
また、この検索処理（ステップＳ３０６）で対応する未処理レコードが存在した場合には（ステップＳ３０７；Ｙｅｓ）、連携データ特定部１８ｅは、検索された未処理レコードに記憶される鍵識別情報に基づいて貸出対象の鍵を特定する（ステップＳ３０９）。そして、連携鍵貸出処理部１８ｆは、ステップＳ３０９で特定された鍵に対する鍵保持部１３のロックを解除して、かかる鍵の取り出しを可能として（ステップＳ３１０）、処理を終了する。
【００９９】
また、連携鍵データ１７ｂに担当者カードから読み取られた担当者コードを操作者識別情報とする未処理レコードが無い場合には（ステップＳ３０４；Ｎｏ）、鍵貸出処理部１８ａは、表示操作部１１における貸し出す鍵の指定操作を受け付けて（ステップＳ３１１）、ステップＳ３１０に移行する。
【０１００】
上述してきたように、実施例１では、出納機２０などの入力装置で別の鍵付装置に係る処理内容を受け付けたならば、受け付けた処理内容に応じて必要な鍵を特定し、特定された鍵に係る情報を鍵管理装置１０に送信するようにした。また、鍵管理装置１０は、受け付けた鍵に係る情報に基づいて必要な鍵を取り出し可能となるよう制御するようにした。かかる構成により、入力装置において他の鍵付装置に関連する操作を受け付けた場合に、鍵管理装置から鍵付装置の鍵を正確に取得することができる。
【実施例２】
【０１０１】
実施例１では、出納機２０又は重要物管理装置４０等の入力装置において鍵連携処理を行う旨の操作が行われた場合に、入力装置で取り出す必要のある鍵を特定し、その特定した情報を鍵管理装置１０に送信することによって、鍵管理装置１０から必要な鍵を取り出し可能となるようにした。しかしながら、本発明はこれに限定されるものではない。例えば、入力装置で行われた操作に対して必要な鍵の特定処理をかかる入力装置以外の装置で実施するようにしてもよい。実施例２では、入力装置で行われた操作に対する鍵の特定処理を鍵管理装置１１０で行う例を説明する。
【０１０２】
まず、実施例２に係る鍵管理装置１１０の構成について説明する。図１５は、鍵管理装置１１０の構成を示す機能ブロック図である。図１５に示す鍵管理装置１１０の機能ブロック図においては、実施例１の鍵管理装置１０と同じ構成要素については鍵管理装置１０と同じ符号を付与し、異なる構成要素については新たに採番した符号を付与した。鍵管理装置１１０の構成の説明では、実施例１の鍵管理装置１０と同じ符号を付与した構成要素についての説明は省略し、符号を新たに採番した構成要素について主に説明するものとする。
【０１０３】
鍵管理装置１１０は、実施例１の鍵管理装置１０と比較すると、記憶部１７に対応テーブル１１７ｃ及び連携処理データ１１７ｄが追加となっている。対応テーブル１１７ｃは、実施例１の出納機２０が記憶していた対応テーブル２６ａと、重要物管理装置４０が記憶していた対応テーブル４７ａとをマージしたデータである。よって、形式は対応テーブル２６ａ、４７ａと同じである。
【０１０４】
連携処理データ１１７ｄは、実施例１の出納機２０から受信した連携処理データ２６ｂ又は重要物管理装置４０から受信した連携処理データ４７ｂを記憶したデータであり、連携処理データ２６ｂ、４７ｂと同じ構成である。
【０１０５】
また、鍵管理装置１１０は、実施例１の鍵管理装置１０と比較すると、制御部１８の連携データ取得部１１８ｃが、実施例１の連携データ取得部１８ｃと差異がある。また、制御部１８に連携鍵データ生成部１１８ｆが追加となっている。
【０１０６】
実施例１の連携データ取得部１８ｃは、出納機２０から受信した連携鍵データ２６ｃ及び重要物管理装置４０から受信した連携鍵データ４７ｃを自装置内の連携鍵データ１７ｂに登録していたが、実施例２では出納機２０から受信した連携処理データ２６ｂ及び重要物管理装置４０から受信した連携処理データ４７ｂを自装置内の連携処理データ１１７ｄに登録する。
【０１０７】
連携鍵データ生成部１１８ｆは、連携処理データ１１７ｄと、対応テーブル１１７ｃとに基づいて連携鍵データ１７ｂにレコードを追加登録する。この際には、追加登録するレコードの処理状態の情報に、対応する鍵を取り出し可能にする処理をまだ行っていないことを示す「未処理」を設定する。
【０１０８】
次に、実施例２に係る出納機１２０の構成について説明する。図１６は、実施例２に係る出納機１２０の構成を示す機能ブロック図である。図１６に示す出納機１２０の機能ブロック図においては、実施例１の出納機２０と同じ構成要素については出納機２０と同じ符号を付与し、異なる構成要素については新たに採番した符号を付与した。出納機１２０の構成の説明では、実施例１の出納機２０と同じ符号を付与した構成要素についての説明は省略し、符号を新たに採番した構成要素について主に説明するものとする。
【０１０９】
実施例２の出納機１２０は、実施例１の出納機２０と比較すると、記憶部２６の対応テーブル２６ａ及び連携鍵データ２６ｃが無くなっている。また、実施例２の出納機の制御部２７は、実施例１の制御部２７と比較すると連携鍵データ生成部２７ｃが無くなっている。また、実施例２の装置連携貨幣処理部１２７ｂは、実施例１の装置連携貨幣処理部２７ｂと差異がある。
【０１１０】
実施例１の装置連携貨幣処理部２７ｂは、操作者の入力操作に基づいて連携処理データ２６ｂを生成して、連携鍵データ生成部２７ｃで生成された連携鍵データ２６ｃを鍵管理装置１０に送信していた。実施例２の装置連携貨幣処理部１２７ｂは、操作者の入力操作に基づいて連携処理データ２６ｂを生成して、生成した連携処理データ２６ｂをそのまま鍵管理装置１１０に送信する。
【０１１１】
実施例２に係る重要物管理装置１４０についても同様であることから図を用いての説明は省略するが、実施例１で記憶部４７に存在した対応テーブル４７ａ及び連携鍵データ４７ｃが無くなる。また、実施例１で制御部４８に存在した連携鍵データ生成部４８ｃが無くなり、実施例２の装置連携重要物管理部１４８ｂは、実施例１の装置連携重要物管理部４８ｂと差異がある。具体的には、実施例２の装置連携重要物管理部１４８ｂは、操作者の入力操作に基づいて連携処理データ４７ｂを生成して、生成した連携処理データ４７ｂをそのまま鍵管理装置１１０に送信する。
【０１１２】
次に、実施例２に係る鍵管理装置１１０で連携処理データ２６ｂ、４７ｂを受け付けたときに行われる処理の処理手順について説明する。図１７は、鍵管理装置１１０で連携処理データを受け付けたときに行われる処理の処理手順示すフローチャートである。
【０１１３】
実施例１では、出納機２０又は重要物管理装置４０から送信された連携鍵データ２６ｃ、４７ｃを連携鍵データ１７ｂに登録するだけであった。実施例２では、出納機１２０及び重要物管理装置１４０から、連携処理データ２６ｂ、４７ｂを受信したならば、対応テーブル１１７ｃに基づいて生成したレコードを連携鍵データ１７ｂに追加登録することになる。実施例２の鍵管理装置１１０のかかる処理手順の実施例１との差異は、連携鍵データ１７ｂにレコードを追加登録するまでの処理だけである。よって、図１７では、実施例１の図１４に示したフローチャートの連携鍵データ１７ｂにレコードを追加登録するまでの処理（ステップＳ３０１〜ステップＳ３０２）と置き換わる処理の処理手順について説明する。
【０１１４】
出納機１２０又は重要物管理装置１４０から連携処理データ２６ｂ、４７ｂを受け付けたならば（ステップＳ４０１；Ｙｅｓ）、連携データ取得部１１８ｃは、受け付けた連携処理データ２６ｂ、４７ｂを連携処理データ１１７ｄとして記憶する（ステップＳ４０２）。連携鍵データ生成部１１８ｆは、対応テーブル１１７ｃと、ステップＳ４０２で記憶された連携処理データ１１７ｄと基づいて、連携鍵データ１７ｂに追加するレコードを生成する（ステップＳ４０３）。そして、連携鍵データ生成部１１８ｆは、ステップＳ４０３で生成したレコードを連携鍵データ１７ｂに追加登録して（ステップＳ４０４）、処理を終了する。出納機１２０又は重要物管理装置１４０から連携処理データ２６ｂ、４７ｂを受け付けていなければ（ステップＳ４０１；Ｎｏ）、処理を終了する。
【０１１５】
なお、図１７では、出納機１２０又は重要物管理装置１４０から、連携処理データ２６ｂ、４７ｂを受信した時点で、連携鍵データ１７ｂに対応するレコードを追加登録するものとしたが、本発明はこれに限定されるものではない。例えば、出納機１２０又は重要物管理装置１４０から、連携処理データ２６ｂ、４７ｂを受信した時点では、受信したデータを連携処理データ１１７ｄに記憶するのみとして、カードの読み取りにより操作者識別情報が特定できた時点で、特定された操作者識別情報に対応する連携処理データ１１７ｄのレコードを検索して、検索されたレコードに対応する情報を連携鍵データ１７ｂに追加するようにしてもよい。また、操作識別情報の入力を受け付けた時点で、操作者識別情報と操作識別情報に対応する連携処理データ１１７ｄのレコードを検索して、検索されたレコードに対応する情報を連携鍵データ１７ｂに追加するようにしてもよい。
【０１１６】
上述してきたように、実施例２では、出納機１２０などの入力装置で別の鍵付装置に関連する処理に係る操作を受け付けたならば、受け付けた操作に係る情報を鍵管理装置１１０に送信するようにした。また、鍵管理装置１１０は、入力装置から受信した操作に係る情報に基づいて必要な鍵を特定し、特定した鍵を取り出し可能となるよう制御するようにした。かかる構成により、入力装置において他の鍵付装置に関連する操作を受け付けた場合に、鍵管理装置１１０から鍵付装置の鍵を正確に取得することができる。
【０１１７】
なお、実施例１及び実施例２では、出納機２０、１２０及び重要物管理装置４０、１４０などの入力装置で行われた操作に応じて、かかる操作に応じた鍵を鍵管理装置１０、１１０から取り出し可能とするようにする例を説明してきたが、本発明は、入力装置を出納機２０、１２０及び重要物管理装置４０、１４０に限定するものではない。例えば、両替機６０を入力装置として、両替機６０で貨幣の回収操作を行った場合に、回収した貨幣を収納する装置の収納処理に必要な鍵を鍵管理装置１０、１１０から取り出し可能となるようにしてもよい。また、入力装置を単なるパソコンなどのコンピュータとしてもよく、パソコンなどのコンピュータにおいて他の鍵付装置に関連する処理に係る操作を受け付けて、受け付けた操作に基づいて操作に応じた処理に必要な鍵を鍵管理装置１０、１１０から取り出し可能となるようにしてもよい。
【０１１８】
また、実施例１では鍵管理装置１０から取り出し可能とする鍵の特定処理を出納機２０及び重要物管理装置４０などの入力装置で行い、実施例２ではかかる鍵の特定処理を鍵管理装置１１０で行うものとしたが、本発明はこれらに限定されるものではない。例えば、出納機２０及び重要物管理装置４０などの入力装置及び鍵管理装置１０、１１０とは別の管理装置を設け、かかる管理装置が入力装置で行われた操作情報を取得し、取得した操作情報に基づいて鍵管理装置１０から取り出し可能とする鍵の特定処理を行い、特定処理結果を鍵管理装置１０、１１０に送信するようにしてもよい。
【０１１９】
また、実施例１及び実施例２では、出納機２０及び重要物管理装置４０などの入力装置における処理の指定操作に応じて、金庫５０、両替機６０又は自動機７０等の他の装置の操作に必要な鍵が取り出し可能となることを説明してきたが、本発明はこれに限定されるものではない。例えば、対応テーブル２６ａ、４７ａ、１１７ｃに入力装置における処理の指定操作に対して入力装置自身の鍵を対応付けておくことによって、入力装置における処理の指定操作に応じて入力装置自身の操作に必要な鍵を取り出し可能としてもよい。
【０１２０】
また、実施例１及び実施例２では、鍵管理装置１０、１１０で鍵の取り出しを行う場合には、出納機２０及び重要物管理装置４０などの入力装置で操作した同一の操作者であることを条件として鍵の取り出しが可能となるようにしたが、本発明はこれに限定されるものではない。例えば、他の操作者が操作したとしても、操作識別情報の入力があれば対応する鍵を取り出せるようにしてもよい。
【０１２１】
また、実施例１及び実施例２では、鍵管理装置１０、１１０で鍵の取り出しを行う場合には、出納機２０及び重要物管理装置４０などの入力装置から出力された操作識別情報を入力しなければならなかったが、本発明はこれに限定されるものではない。同一の操作者が入力装置で複数の操作を行い、それぞれの操作毎に異なる鍵が取り出し可能にすべき鍵として特定されている場合に、鍵管理装置１０、１１０でかかる操作者が認証されたならば、全ての操作に対する全ての鍵を取り出し可能に制御するようにしてもよい。また、鍵管理装置１０、１１０でいずれの操作に対する鍵を取り出し可能とするかを操作者が選択できるようにしてもよい。
【０１２２】
また、実施例１及び実施例２では、操作識別情報を紙媒体や表示装置に出力するものとしたが、本発明はこれに限定されるものではない。例えば、担当者カードにかかる操作識別情報を書き込んで、鍵管理装置１０、１１０で、それを読み取るようにしてもよい。
【０１２３】
また、上述の実施例１及び実施例２で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２４】
以上のように、本発明に係る鍵管理システムは、入力装置において他の鍵付装置に関連する処理に係る操作を受け付けた場合に、鍵管理装置から鍵付装置の鍵を正確に取得することに適している。
【符号の説明】
【０１２５】
１０、１１０  鍵管理装置
１０ａ  扉
１０ｂ  鍵収納部
１１、４１  表示操作部
１２、２３、４２  カードリーダ
１３  鍵保持部
１４  ホルダー
１５、２４  プリンタ
１５ａ  レシート取出口
１６、２５、４６  通信部
１７、２６、４７  記憶部
１７ａ  鍵管理テーブル
１７ｂ、２６ｃ、４７ｃ  連携鍵データ
１８、２７、４８  制御部
１８ａ  鍵貸出処理部
１８ｂ  鍵返却処理部
１８ｃ、１１８ｃ  連携データ取得部
１８ｄ  認証処理部
１８ｅ  連携データ特定部
１８ｆ  連携鍵貸出処理部
２０、１２０  出納機
２１  表示部
２２  操作部
２６ａ、４７ａ、１１７ｃ  対応テーブル
２６ｂ、４７ｂ、１１７ｄ  連携処理データ
２７ａ  貨幣処理部
２７ｂ、１２７ｂ  装置連携貨幣処理部
２７ｃ、４８ｃ、１１８ｆ  連携鍵データ生成部
３１  バラ紙幣処理部
３１ａ  バラ紙幣入金口
３１ｂ  バラ紙幣出金口
３２  束紙幣処理部
３２ａ  束紙幣入出金口
３２ｂ  束紙幣放出口
３３  バラ硬貨処理部
３３ａ  バラ硬貨入金口
３３ｂ  リジェクト部
３３ｃ  バラ硬貨出金口
３４  包装硬貨処理部
３４ａ  包装硬貨出金口
４０、１４０  重要物管理装置
４２ａ  カード挿入口
４３  第１収納ユニット
４３ａ、４３ｂ、４３ｃ、４４ａ、４４ｂ、４４ｃ、４４ｄ、４５ａ  収納部
４４  第２収納ユニット
４５  第３収納ユニット
４８ａ  重要物管理部
４８ｂ、１４８ｂ  装置連携重要物管理部
５０  金庫
６０  両替機
７０  自動機
９０  通信線
【図１】
2017057661.tif 000003
【図２】
2017057661.tif 000004
【図３】
2017057661.tif 000005
【図４】
2017057661.tif 000006
【図５】
2017057661.tif 000007
【図６】
2017057661.tif 000008
【図７】
2017057661.tif 000009
【図８】
2017057661.tif 000010
【図９】
2017057661.tif 000011
【図１０】
2017057661.tif 000012
【図１１】
2017057661.tif 000013
【図１２】
2017057661.tif 000014
【図１３】
2017057661.tif 000015
【図１４】
2017057661.tif 000016
【図１５】
2017057661.tif 000017
【図１６】
2017057661.tif 000018
【図１７】
2017057661.tif 000019